(57)【要約】  本発明を適用した動物給餌システムの一例である給餌システム１０１は、給餌器１０２と、給餌器１０２に収納される引出し式餌箱１０３と、ペットに装着される強磁性体のペンダントＱ，延長コードを備える。また、給餌器１０２の開口部には、跳ね上げ式扉３、侵入防止引き戸４３又は侵入口つき引き戸４２が、設けられている。  給餌システム１０１は、電磁石と永久磁石の組合せによりペットに自動的に給餌可能なシステムとなっている。
2014073035.tif 000002
【特許請求の範囲】
【請求項１】
給餌器と、
該給餌器に設けられた所定の配線経路に通電されることで磁性を帯びる少なくとも１つ以上の電磁石と、
該電磁石に通電された場合の磁力を利用して、前記給餌器から外に放出可能に構成され、またはペットの餌盗りを防止する障害物が除去可能に構成された餌箱とを備える
動物給餌システム。
【請求項２】
前記給餌器と前記餌箱の少なくともいずれか一方に前記電磁石が設けられ、
前記電磁石に通電された場合に磁石間の磁力を利用して前記餌箱が給餌器から外に放出可能に構成された
請求項１に記載の動物給餌システム。
【請求項３】
前記障害物は、前記餌箱に隣接して位置した引き戸であり、
該引き戸と連結部材で連結された疑似餌を有し、
前記給餌器と前記疑似餌の少なくともいずれか一方に前記電磁石が設けられ、
前記電磁石に通電された場合に磁石間の磁力を利用して前記疑似餌が飛び出し可能に構成され、
前記疑似餌をペットが引っ張ることで前記引き戸が前記餌箱に隣接した位置から除去可能に構成された
請求項１または請求項２に記載の動物給餌システム。
【請求項４】
前記障害物は、前記給餌器の外部と前記餌箱の間を遮る位置に配置された開き戸であり、
前記給餌器と前記開き戸の少なくともいずれか一方に前記電磁石が設けられ、
前記電磁石に通電された場合に磁石間の磁力を利用して前記開き戸が前記給餌器の外部と前記餌箱の間を遮る位置から除去可能に構成された
請求項１または請求項２に記載の動物給餌システム。
【請求項５】
少なくとも２つ以上の前記餌箱を有し、
該餌箱の一方は、ペットの餌盗りを防止する障害物が除去可能に構成され、
前記餌箱の他方は、前記給餌器から外に放出可能に構成された
請求項１に記載の動物給餌システム。
【請求項６】
給餌を二回に分けて自動で行い、二食を同時に食せないようにするとともに、他の動物が餌盗りするのを防止する二食給餌システムであって、
給餌器と、上記給餌器に収納される引出し式餌箱と、ペットに装着される強磁性体のペンダントＱ，延長コードを備え、
上記給餌器の開口部には、跳ね上げ式扉３、侵入防止引き戸４３又は侵入口つき引き戸４２が、設けられており、
上記給餌器のタイマーがＯＦＦの間、上記跳ね上げ式扉３は上記開口部全体を覆い、一回目給餌時間となり、タイマーがＯＮになると、通電し、上記開口部の電磁石Ｃと、上記跳ね上げ式扉３の内側の永久磁石ｃＳとが同極反発して、上記跳ね上げ式扉３が開き、
上記跳ね上げ式扉３が開くと、ペットが近づき、上記侵入口つき引き戸４２がセットされていれば、上記扉が開いた時点で、上記侵入口から一食目餌入れ１０に盛られた餌を食することが可能となり、
餌盗りの心配な家庭で、上記侵入防止引き戸４３がセットされていれば、一回目タイマーＯＮにおいて、上記電磁石Ｃと電磁石Ｂへと同時通電させることによって、上記扉３が上記同極反発で開いた瞬間には、上記給餌箱内の凹みに隠しておいた、上記引き戸４３のマウスピースＭ２が、上記凹み内の永久磁石ｂと電磁石Ｂとの同極反発により押し出され、上記マウスピースＭ２が上記給餌器の外へと放り出されることにより、ペットが、上記マウスピースＭ２を銜えて引っ張り、上記引き戸４３を上記給餌器の外へと引き出して、上記一食目餌入れ１０に盛られた餌を食できるとともに、
二食を同時に食せないよう、Ｎ極側を上記引出し式餌箱真正面中央に取り付けた電磁石Ａ１及びＳ極側を上記侵入口つき引き戸４２の侵入口に位置する、上記電磁石室天井面に取り付けた電磁石Ａ２への通電を、１秒でＯＦＦになるようにセットされて、二食目が入る引出し式餌箱の引き出しは不可能とし、
二食目の給餌時間となり、タイマーがＯＮになると、二食目用の上記引出し式餌箱にセットされた、上記電磁石Ａ１Ａ２と臭い送風機１１の両方に通電し、
上記引出し式餌箱の餌入れ１０−２に用意された二食目の餌の臭気で、ペットを上記引き戸４２の侵入口の中へ誘い込み、頭部から首部を侵入させた所で、上記電磁石Ａ１Ａ２の磁気がペンダントＱを吸引吸着することによって、ペットが、上記引出し式餌箱の餌入れ１０−２を引き出せるようにしていることを特徴とする二食給餌システム。
【請求項７】
給餌を三回以上に分けて自動的に行い、三食以上を同時に食せないようにするとともに、ペットが餌盗りするのを防止する三食以上給餌システムであって、
三個以上の引出し式餌箱を並列に配置しており、延長コードを備え、
給餌時間になり、タイマーがＯＮになると、通電し、上記引出し式餌箱の前面に設けられたオブジェクトの永久磁石ｄと、上記給餌器の電磁石Ｄとが同極反発して、上記オブジェクトが飛び出し、ペットを誘うとともに、ペット自身が引出し式餌箱を引き出せるようにしたことを特徴とする三食以上給餌システム。
【請求項８】
給餌を自動的に行う動物給餌システムであって、
引出し式餌箱と、上記引出し式餌箱の前方に下りスロープを備え、
上記引出し式餌箱は、餌箱と、餌箱を収納する本体部からなり、
給餌時間になり、タイマーがＯＮになると、通電し、上記餌箱の背面の永久磁石ｅと上記本体部の電磁石Ｅとが同極反発して、
上記餌箱が飛び出し、上記下りスロープを下って車輪ストッパーにより停止し、ペットに給餌することを特徴とする動物給餌システム。
【請求項９】
給餌器と、
該給餌器に設けられた所定の配線経路に通電されることで磁性を帯びる少なくとも１つ以上の電磁石と、
前記給餌器に固定された餌箱と、
該餌箱に隣接して位置した引き戸と、
該引き戸と連結部材で連結された疑似餌とを有し、
前記給餌器と前記疑似餌の少なくともいずれか一方に前記電磁石が設けられ、
前記電磁石に通電された場合に磁石間の磁力を利用して前記疑似餌が飛び出し可能に構成され、
前記疑似餌をペットが引っ張ることで前記引き戸が前記餌箱に隣接した位置から除去可能に構成された
動物給餌システム。
【請求項１０】
給餌器と、
該給餌器に設けられた所定の配線経路に通電されることで磁性を帯びる少なくとも１つ以上の電磁石と、
前記給餌器に固定された餌箱と、
前記給餌器の外部と前記餌箱の間を遮る位置に配置された開き戸とを有し、
前記給餌器と前記開き戸の少なくともいずれか一方に前記電磁石が設けられ、
前記電磁石に通電された場合に磁石間の磁力を利用して前記開き戸が前記給餌器の外部と前記餌箱の間を遮る位置から除去可能に構成された
動物給餌システム。
【発明の詳細な説明】
【技術分野】
【０００１】
本発明は動物給餌システム、二食給餌システム及び三食以上給餌システムに関する。詳しくは、簡易なシステムで、ペット等に充分に給餌することが可能な動物給餌システム、二食給餌システム及び三食以上給餌システムに係るものである。
【背景技術】
【０００２】
今日、人の心を和ませ、楽しませてくれる存在としてペットを飼う家庭が増えている。また、ペットを飼う家庭の中には、一人暮らしの家庭も多く、ペットを飼う環境も多様化している状況にある。【０００３】
このような中、ペットを飼う家庭で問題となるのが、家を留守にする際のペットへの給餌である。特に、１人暮らしの家庭においては、仕事や急な用事で家を長時間留守にしなければならないケースが多く、ペットに充分に餌を与えることが難しいことがある。【０００４】
また、大人数で暮らす家庭においても、家族旅行の際にはペットに餌を与えることができず、知り合いや専門店に一定期間ペットを預かってもらう必要が生じる。この問題を解決するために、自動で給餌を行う動物給餌システムが提案されている。【０００５】
動物給餌システムは、一般的に、給餌の時間を設定するタイマーと餌入れの部分から構成される。タイマーで設定した時間になると、ペットが餌入れから餌を食べることが可能な作りとなっている。【０００６】
こうしたなか、飼い主が長期間ペットを置いたまま留守に出来る動物給餌システムが存在する。例えば、特許文献１に記載の動物給餌システムが提案されている。【０００７】
ここで、特許文献１には、図１１に示すような給餌システム２００が記載されている。給餌システム２００は、餌貯蔵タンク２０１と水貯蔵タンク２０２を備えている。また、駆動制御装置２０３及び操作パネル２０４により設定を行う。設定した時間になると、餌と水の入った容器が乗ったスライドテーブル２０５が、給餌システム２００の外部に出てくる。【０００８】
また、スライドテーブル２０５は給餌状態が一定時間維持され、その後自動的に格納される。その後も設定された日時がくるたびに、同じ動作が自動的に繰り返される仕組みになっている。
【先行技術文献】
【特許文献】
【０００９】
【特許文献１】特開２００５−６５６７４
【発明の概要】
【発明が解決しようとする課題】
【００１０】
しかしながら、特許文献１に記載の動物給餌システムでは、駆動制御装置、操作パネル及びスライドテーブルなどの構造が複雑かつ機械的であり、動物給餌システムが壊れた場合に飼い主が容易に修理することが困難である。【００１１】
また、スライドテーブルが動物給餌システムの外部に出てきて、一定時間その状態が維持された時に、ペットが気づかないことも考えられる。ペットが気付かずに時間が経過すれば、餌を食べられないといった不都合も生じる。【００１２】
また、動物給餌システムで共通して問題となるのが餌盗りである。動物給餌システムを屋外に設置した場合には、鳥などの動物による餌盗りを排除する必要がある。また、設定した餌の時間以外の時に、ペットが餌を食べようとした場合にも、餌が取られないような構造になっていることが求められる。【００１３】
本発明は、以上の点に鑑みて創案されたものであり、簡易なシステムで、ペットに充分に給餌することが可能な動物給餌システム、二食給餌システム及び三食以上給餌システムを提供することを目的とする。
【課題を解決するための手段】
【００１４】
上記の目的を達成するために、本発明の動物給餌システムは、給餌器と、該給餌器に設けられた所定の配線経路に通電されることで磁性を帯びる少なくとも１つ以上の電磁石と、該電磁石に通電された場合の磁力を利用して、前記給餌器から外に放出可能に構成され、またはペットの餌盗りを防止する障害物が除去可能に構成された餌箱とを備える。【００１５】
ここで、給餌器に設けられた所定の配線経路に通電されることで磁性を帯びる少なくとも１つ以上の電磁石を有することによって、配線経路に通電することで磁力を発生させることができる。即ち、金属の塊である電磁石が通電されることで磁性を帯びることになり、磁力により生じる反発力や吸着力を利用することができる。【００１６】
また、給餌器から外に放出可能に構成された餌箱を有することによって、ペットが放出された餌箱に気付くことになり、餌の存在を知らせることができる。また、放出された餌箱からペットに餌を与えることができる。【００１７】
また、ペットの餌盗りを防止する障害物が除去可能に構成された餌箱を有することによって、必要なときにのみペットに餌を与えることができる。即ち、餌の時間以外の時には障害物がペットの餌盗りを遮り、餌の時間には障害物が除去され、ペットが餌を食べることができる。また、ペット以外の動物による餌盗りも排除することができる。【００１８】
また、給餌器と餌箱の少なくともいずれか一方に電磁石が設けられた場合には、給餌器や餌箱に磁力を発生させることができる。即ち、電磁石が通電されることで磁性を帯びることになり、磁力により生じる反発力や吸着力を利用することができる。【００１９】
また、電磁石に通電された場合に磁石間の磁力を利用して餌箱が給餌器から外に放出可能に構成された場合には、磁力によって餌箱が動かされることになり、餌箱を放出させることができる。また、ペットが放出された餌箱に気付くことになり、餌の存在を知らせることができる。また、放出された餌箱からペットに餌を与えることができる。【００２０】
また、障害物が餌箱に隣接して位置した引き戸である場合には、引き戸がペットと餌箱の間を遮ることになり、ペットやその他の動物が餌箱に近づけないようになる。即ち、ペットや他の動物による餌盗りを排除することができる。【００２１】
また、引き戸と連結部材で連結された疑似餌を有する場合には、ペットの興味を引き付け、疑似餌を銜えさせることができる。また、疑似餌と引き戸が連結されているので、ペットが疑似餌を引っ張ることで、ペットの力により引き戸を動かすことができる。なお、ここでいう疑似餌とは、例えば、ペットが口に銜えることのできるマウスピースを意味する。【００２２】
また、給餌器と疑似餌の少なくともいずれか一方に電磁石が設けられた場合には、給餌器や疑似餌に磁力を発生させることができる。即ち、電磁石が通電されることで磁性を帯びることになり、磁力により生じる反発力や吸着力を利用することができる。【００２３】
また、電磁石に通電された場合に磁石間の磁力を利用して疑似餌が飛び出し可能に構成された場合には、磁力によって疑似餌が動かされることになり、疑似餌を飛び出させることができる。またペットが飛び出した疑似餌に気付くことになり、ペットに餌の時間であることを知らせることができる。【００２４】
また、疑似餌をペットが引っ張ることで引き戸が餌箱に隣接した位置から除去可能に構成された場合には、ペットの力で引き戸を動かすことになる。即ち、ペットと餌箱の間を遮る引き戸をペット自身の力で外し、餌を食べさせることができる。冷蔵庫の扉を開いて中の物を食べる１，２歳の幼児がごとく、ペットが疑似餌を引っ張り、引き戸を外して餌を食べることが可能となる。【００２５】
また、障害物が給餌器の外部と餌箱の間を遮る位置に配置された開き戸である場合には、開き戸がペットと餌箱の間を遮ることになり、ペットやその他の動物が餌箱に近づけないようになる。即ち、ペットやその他の動物による餌盗りを排除することができる。なお、ここでいう開き戸とは、例えば、上下に可動可能なアップダウン式の開き戸を意味する。【００２６】
また、給餌器と開き戸の少なくともいずれか一方に電磁石が設けられた場合には、給餌器や開き戸に磁力を発生させることができる。即ち、電磁石が通電されることで磁性を帯びることになり、磁力により生じる反発力や吸着力を利用することができる。【００２７】
また、電磁石に通電された場合に磁石間の磁力を利用して開き戸が給餌器の外部と餌箱の間を遮る位置から除去可能に構成された場合には、磁力によって開き戸を動かすことになる。即ち、電磁石に通電されることで、自動的に開き戸が開き、ペットに餌を食べさせることができる。【００２８】
また、動物給餌システムが少なくとも２つ以上の餌箱を有する場合には、二食以上の餌をペットに食べさせることができる。【００２９】
また、動物給餌システムが少なくとも２つ以上の餌箱を有し、餌箱の一方は、ペットの餌盗りを防止する障害物が除去可能に構成され、餌箱の他方は、給餌器から外に放出可能に構成された場合には、餌箱に異なる給餌の仕組みが施されることになる。即ち、二食以上の餌を別々の仕組みでペットに食べさせることができる。【００３０】
また、上記の目的を達成するために、本発明の二食給餌システムは、給餌を二回に分けて自動で行い、二食を同時に食せないようにするとともに、他の動物が餌盗りするのを防止する二食給餌システムであって、給餌器と、上記給餌器に収納される引出し式餌箱と、ペットに装着される強磁性体のペンダントＱ，延長コードを備え、上記給餌器の開口部には、跳ね上げ式扉３、侵入防止引き戸４３又は侵入口つき引き戸４２が、設けられており、上記給餌器のタイマーがＯＦＦの間、上記跳ね上げ式扉３は上記開口部全体を覆い、一回目給餌時間となり、タイマーがＯＮになると、通電し、上記開口部の電磁石Ｃと、上記跳ね上げ式扉３の内側の永久磁石ｃＳとが同極反発して、上記跳ね上げ式扉３が開き、上記跳ね上げ式扉３が開くと、ペットが近づき、上記侵入口つき引き戸４２がセットされていれば、上記扉が開いた時点で、上記侵入口から一食目餌入れ１０に盛られた餌を食することが可能となり、餌盗りの心配な家庭で、上記侵入防止引き戸４３がセットされていれば、一回目タイマーＯＮにおいて、上記電磁石Ｃと電磁石Ｂへと同時通電させることによって、上記扉３が上記同極反発で開いた瞬間には、上記給餌箱内の凹みに隠しておいた、上記引き戸４３のマウスピースＭ２が、上記凹み内の永久磁石ｂと電磁石Ｂとの同極反発により押し出され、上記マウスピースＭ２が上記給餌器の外へと放り出されることにより、ペットが、上記マウスピースＭ２を銜えて引っ張り、上記引き戸４３を上記給餌器の外へと引き出して、上記一食目餌入れ１０に盛られた餌を食できるとともに、二食を同時に食せないよう、Ｎ極側を上記引出し式餌箱真正面中央に取り付けた電磁石Ａ１、及び、Ｓ極側を上記侵入口つき引き戸４２の侵入口に位置する、上記電磁石室天井面に取り付けた電磁石Ａ２への通電を、１秒でＯＦＦになるようにセットされて、二食目が入る引出し式餌箱の引き出しは不可能とし、二食目の給餌時間となり、タイマーがＯＮになると、二食目用の上記引出し式餌箱にセットされた、上記電磁石Ａ１Ａ２と臭い送風機１１の両方に通電し、上記引出し式餌箱の餌入れ１０−２に用意された二食目の餌の臭気で、ペットを上記引き戸４２の侵入口の中へ誘い込み、頭部から首部を侵入させた所で、上記電磁石Ａ１Ａ２の磁気がペンダントＱを吸引吸着することによって、ペットが、上記引出し式餌箱の餌入れ１０−２を引き出せるようにしていることを特徴としている。【００３１】
ここで、跳ね上げ式扉３と、給餌器の開口部の電磁石Ｃと、跳ね上げ式扉３の内側の永久磁石ｃＳとを有することによって、通電しない時には、跳ね上げ式扉３で給餌器の開口部を覆い、ペットの餌盗りを排除することができる。即ち、通電しない際にはただの金属の塊である電磁石Ｃと永久磁石ｃＳが吸着し、給餌器の開口部を跳ね上げ式扉３で閉じることになる。【００３２】
また、跳ね上げ式扉３と、給餌器の開口部の電磁石Ｃと、跳ね上げ式扉３の内側の永久磁石ｃＳとを有することによって、通電した際に、給餌器の開口部を覆う跳ね上げ式扉３を開けることができる。即ち、電磁石Ｃが磁性を帯び、磁力が発生することで、永久磁石ｃＳとの間で同極反発が起こり、跳ね上げ式扉３が反発力で開くことになる。【００３３】
また、給餌器の開口部に侵入口つき引き戸４２が設けられることによって、ペットが侵入口から頭を入れ、ペットに一食目餌入れ１０に盛られた餌を食べさせることができる。【００３４】
また、タイマーと、電磁石Ｂと、給餌箱内の凹み内の永久磁石ｂと、侵入防止引き戸４３と、侵入防止引き戸４３のマウスピースＭ２と、一食目餌入れ１０を有し、給餌器の開口部に侵入口防止引き戸４３が設けられることによって、一回目給餌時間となり、タイマーがＯＮになると、通電され、永久磁石ｂと電磁石Ｂとの間で同極反発が起こり、マウスピースＭ２が給餌器の外へ放り出されることになる。このことによって、ペットがマウスピースＭ２に気付き、これを銜えて引っ張ることで、侵入防止引き戸４３を動かすことができる。即ち、ペット自身の力により、侵入防止引き戸４３を給餌器の外へと引き出させ、ペットに一食目餌入れ１０に盛られた餌を食べさせることができる。【００３５】
また、タイマーと、給餌器に収納される引出し式餌箱と、引出し式餌箱にセットされた臭い送風機１１を有することによって、二食目の給餌時間となり、タイマーがＯＮになると臭い送風機１１に通電され、ペットに餌の臭気を嗅がせることができる。即ち、ペットに臭いで餌の時間を知らせることになり、二食給餌システムにペットの意識を引き付けることができる。【００３６】
また、タイマーと、侵入口付き引き戸４２と、給餌器に収納される引出し式餌箱と、引出し式餌箱の餌入れ１０−２と、ペットに装着される強磁性体のペンダントＱと、Ｎ極側を引出し式餌箱真正面中央に取り付けた電磁石Ａ１、及び、Ｓ極側を侵入口つき引き戸４２の侵入口に位置する、引出し式餌箱前面の電磁石室天井面に取り付けた電磁石Ａ２を有することによって、二食目の給餌時間となり、タイマーがＯＮになると、電磁石Ａに通電され、ペンダントＱと電磁石Ａ１（電磁石ＡのＮ極側を意味する。）または電磁石Ａ２（電磁石ＡのＳ極側を意味する。）を吸引吸着させることができる。ここで、吸引吸着に驚いたペットが後方に下がることになり、電磁石Ａが配置された引出し式餌箱を引き出させることになる。即ち、磁力による吸着力とペットの動きにより、引出し式餌箱を引き出させ、ペットに引出し式餌箱の餌入れ１０−２に入れた餌を食べさせることができる。【００３７】
また、タイマーと、侵入口付き引き戸４２と、給餌器に収納される引出し式餌箱と、引出し式餌箱の餌入れ１０−２と、ペットに装着される強磁性体のペンダントＱと、Ｎ極側を引出し式餌箱真正面中央に取り付けた電磁石Ａ１、及び、Ｓ極側を侵入口つき引き戸４２の侵入口に位置する、引出し式餌箱前面の電磁石室天井面に取り付けた電磁石Ａ２を有し、一食目の給餌時間となり、タイマーがＯＮになると、電磁石Ａに通電され、通電が１秒でＯＦＦになるようにセットされたことによって、引出し式餌箱を引出し不可能にすることができる。即ち、電磁石Ａへの通電が止まることで、強磁性体であるペンダントＱと電磁石Ａは吸着しなくなり、餌箱を引き出すことができなくなる。【００３８】
また、上記の目的を達成するために、本発明の三食以上給餌システムは、給餌を三回以上に分けて自動的に行い、三食以上を同時に食せないようにするとともに、ペットが餌盗りするのを防止する三食以上給餌システムであって、三個以上の引出し式餌箱を並列に配置しており、延長コードとを備え、給餌時間になり、タイマーがＯＮになると、通電し、上記引出し式餌箱の前面に設けられたオブジェクトの永久磁石ｄと、上記給餌器の電磁石Ｄとが同極反発して、上記オブジェクトが飛び出し、ペットを誘うとともに、ペット自身が引出し式餌箱を引き出せるようにしたことを特徴としている。【００３９】
ここで、三個以上の引出し式餌箱を有することによって、ペットに三食以上の餌を提供することができる。【００４０】
また、引出し式餌箱の前面に設けられたオブジェクトを有し、オブジェクトが飛び出すことによって、ペットの注意を引き付けることができる。また、飛び出したオブジェクトと引出し式餌箱の間にペットのフットワークＦ１、即ちペットの足を引っ掛けることができる。このことにより、ペット自身の力で引出し式餌箱を引き出させることができる。【００４１】
また、オブジェクトの永久磁石ｄと、給餌器の電磁石Ｄとを有することによって、通電させることで電磁石Ｄに磁力を発生させ、永久磁石ｄとの間で同極反発させることができる。即ち、同極反発による反発力で、オブジェクトが飛び出すことになる。【００４２】
また、上記の目的を達成するために、本発明の動物給餌システムは、給餌を自動的に行う動物給餌システムであって、引出し式餌箱と、上記引出し式餌箱の前方に下りスロープを備え、上記引出し式餌箱は、餌箱と、餌箱を収納する本体部からなり、給餌時間になり、タイマーがＯＮになると、通電し、上記餌箱の背面の永久磁石ｅと上記本体部の電磁石Ｅとが同極反発して、上記餌箱が飛び出し、上記下りスロープを下って車輪ストッパーにより停止し、ペットに給餌することを特徴としている。【００４３】
ここで、引出し式餌箱と、引出し式餌箱の前方に下りスロープと、車輪ストッパーを有することによって、引出し式餌箱を下りスロープで移動させ、止めることができる。即ち、スロープを用いて、ペットが餌を食べることが可能な位置に餌箱を運ぶことができる。【００４４】
また、引出し式餌箱と、餌箱を収納する本体部と、餌箱の背面の永久磁石ｅと、本体部の電磁石Ｅとを有することによって、通電することで電磁石Ｅに磁力を発生させ、永久磁石ｅとの間で同極反発させることができる。即ち、同極反発による反発力で、餌箱を本体部に収納された位置から動かすことができる。【００４５】
また、上記の目的を達成するために、本発明の動物給餌システムは、給餌器と、該給餌器に設けられた所定の配線経路に通電されることで磁性を帯びる少なくとも１つ以上の電磁石と、前記給餌器に固定された餌箱と、該餌箱に隣接して位置した引き戸と、該引き戸と連結部材で連結された疑似餌を有し、前記給餌器と前記疑似餌の少なくともいずれか一方に前記電磁石が設けられ、前記電磁石に通電された場合に磁石間の磁力を利用して前記疑似餌が飛び出し可能に構成され、前記疑似餌をペットが引っ張ることで前記引き戸が前記餌箱に隣接した位置から除去可能に構成されたものである。【００４６】
ここで、給餌器に固定された餌箱と、餌箱に隣接して位置した引き戸を有することによって、引き戸がペットと餌箱の間を遮ることになり、ペットやその他の動物が餌箱に近づけないようになる。即ち、ペットや他の動物による餌盗りを排除することができる。【００４７】
また、引き戸と連結部材で連結された疑似餌を有することによって、ペットの興味を引き付け、疑似餌を銜えさせることができる。また、疑似餌と引き戸が連結されているので、ペットが疑似餌を引っ張ることで、ペットの力により引き戸を動かすことができる。【００４８】
また、上記の目的を達成するために、本発明の動物給餌システムは、給餌器と、該給餌器に設けられた所定の配線経路に通電されることで磁性を帯びる少なくとも１つ以上の電磁石と、前記給餌器に固定された餌箱と、前記給餌器の外部と前記餌箱の間を遮る位置に配置された開き戸とを有し、前記給餌器と前記開き戸の少なくともいずれか一方に前記電磁石が設けられ、前記電磁石に通電された場合に磁石間の磁力を利用して前記開き戸が前記給餌器の外部と前記餌箱の間を遮る位置から除去可能に構成されたものである。【００４９】
ここで、給餌器に固定された餌箱と、給餌器の外部と餌箱の間を遮る位置に配置された開き戸を有することによって、開き戸がペットと餌箱の間を遮ることになり、ペットやその他の動物が餌箱に近づけないようになる。即ち、ペットやその他の動物による餌盗りを排除することができる。
【発明の効果】
【００５０】
本発明に係る動物給餌システム、二食給餌システム及び三食以上給餌システムは、簡易なシステムで、ペットに充分に給餌することができる。
【図面の簡単な説明】
【００５１】
【図１】本発明を適用した動物給餌システムの一例を示す概略図である。
【図２】餌箱の構造を示す概略図（ａ）及び跳ね上げ式扉３と電磁石Ｃを示す概略図（ｂ）である。
【図３】図１の内部の説明用の概略図である。
【図４】引き戸の概略図（ａ）及びマウスピースＭ２の周辺構造を示す概略図（ｂ）である。
【図５】スイッチを説明する概略図である。
【図６】三食以上給餌システムを示す概略図である。
【図７】オブジェクトの周辺構造を示す概略図（ａ）及びその細部を示す概略図（ｂ）と、オブジェクトが飛び出した後の概略図（ｃ）である。
【図８】下りスロープ式簡易システムを示す概略図である。
【図９】大型犬可能一食用システムを示す概略図である。
【図１０】大量給餌システムを示す概略図である。
【図１１】従来の動物給餌システムの一例を示す概略図である。
【発明を実施するための形態】
【００５２】
以下、本発明を適用した動物給餌システムの一例について図面を参照しながら説明し、本発明の理解に供する。
図１は、本発明を適用した動物給餌システムの一例を示す概略図である。図２は、餌箱の構造を示す概略図（ａ）及び跳ね上げ式扉３と電磁石Ｃを示す概略図（ｂ）である。図３は、図１の内部の説明用の概略図である。図４は、引き戸の概略図（ａ）及びマウスピースＭ２の周辺構造を示す概略図（ｂ）である。図５は、スイッチを説明する概略図である。
【００５３】
図１に示すように、本発明を適用した動物給餌システムの一例である給餌システム１０１は、給餌器１０２と、給餌器１０２に収納された引出し式餌箱１０３を備えている。
【００５４】
また、引出し式餌箱１０３の上部には、一食目餌入れ１０が設けられた硬質ステンレス製の固定板が配置されている。符号５は固定板の前面を示す。また、一食目餌入れ１０の下に、引出し式餌箱１０３と、そこから引き出される二食目餌入れ１０−２が配置されている。また、符号６は、餌箱背面の切込み６を示している。また、符号２４は、引出し式餌箱１０３の前面と床面の境界部分２４を示している。図２（ａ）には、一食目餌入れ１０と二食目餌入れ１０−２の構造が分かる概略図を示している。符号５−２は一食目餌入れ１０が設けられた硬質ステンレス製の固定板の背面を示す。
【００５５】
ここで、必ずしも、一食目餌入れ１０が硬質ステンレス製の固定板に設けられる必要はない。但し、餌入れが衝撃などに強くなり、耐久性が向上する点から、一食目餌入れ１０が硬質ステンレス製の固定板に設けられることが好ましい。
【００５６】
また、必ずしも、餌箱背面の切込み６が設けられる必要はなく、餌箱が引き出し可能に形成されていれば充分である。但し、一食目餌入れと引出し式の二食目餌入れの二段の構造にし、引き出しを容易にする点から、餌箱背面の切込み６が設けられることが好ましい。
【００５７】
図１に示すように、給餌器１０２の開口部に隣接して跳ね上げ式扉３が設けられている。シャフト７は跳ね上げ式扉３と給餌器１０２との間に設けられ、跳ね上げ式扉３の開閉の動きの軸となる。跳ね上げ式扉３とシャフト７は留め金具１３により給餌器１０２に設置されている。また、給餌器１０２には、跳ね上げ式扉３の開放する動きを止める扉ストッパー２６が設けられている。
【００５８】
跳ね上げ式扉３が閉じている時は、給餌器１０２の開口部は、跳ね上げ式扉３に覆われることになる。跳ね上げ式扉３が開放されると、ペットは給餌器１０２の内部にある、一食目餌入れ１０に近づけるようになる。
【００５９】
また、跳ね上げ式扉３の給餌器側には永久磁石ｃが取り付けられ、給餌器１０２の開口部のこれと対応する位置には電磁石Ｃが取り付けられている。永久磁石ｃと電磁石ＣはＳ極同士が反発する向きに設けられている（図１にはｃＳとＣＳＰで示す。）。図２（ｂ）には、跳ね上げ式扉３と電磁石Ｃの位置関係を表した概略図を示している。跳ね上げ式扉３が閉じられた時に、給餌器側の電磁石Ｃと扉側の永久磁石ｃがぴったりと接する構造となっている。
【００６０】
また、跳ね上げ式扉３の上部には、金属の棒からなる梃子Ｔが取り付けられ、その先端には付勢用重り２が釣鐘状に取り付けられている。梃子Ｔは跳ね上げ式扉３と付勢用重り２をつないでいる。なお、符号Ｊは梃子の支点を示している。
【００６１】
跳ね上げ式扉３は、永久磁石ｃと電磁石Ｃの間の同極反発及び付勢用重り２を用いた梃子Ｔの構造を有することで、電磁石Ｃへの通電がわずかな時間であった場合にも、そこで生じた反発力と付勢用重り２の連動した動きにより、跳ね上げ式扉３を瞬時に開けることができる。即ち、後述する二食目の餌盗り防止に用いる、タイマーで通電を１秒でＯＦＦにする仕組みを採用した時にも、跳ね上げ式扉３は開けることが可能となっている。
【００６２】
ここで、必ずしも、跳ね上げ式扉３とシャフト７が留め金具１３によって給餌器１０２に固定される必要はない。跳ね上げ式扉３が給餌器１０２の開口部を開閉可能に構成されていれば、どのような固定方法を用いてもよい。
【００６３】
また、必ずしも、跳ね上げ式扉３はシャフト１７を軸として開閉の動きを行う必要はない。跳ね上げ式扉３が給餌器１０２の開口部を開閉可能に構成されていれば、どのような構造を採用してもよい。
【００６４】
また、跳ね上げ式扉３の永久磁石ｃの取付け構造は特に限定されるものではない。但し、損壊対策として、永久磁石ｃをステンレスやゴムなどの素材で二重に覆った構造にすることが好ましい。
【００６５】
また、跳ね上げ式扉３の永久磁石ｃの吸着力は、電磁石Ｃとの間の吸着または反発の力によって、跳ね上げ式扉３を固定または移動させることができる程度で充分である。永久磁石ｃの吸着力は限定されるものではないが、吸着力が１５ｋｇ前後のものであれば、跳ね上げ式扉３に充分に利用することができる。
【００６６】
また、図１に示すように、給餌器１０２の内部には、配線に電気を流すために必要となるエリミネータールーム１が設置されている。また、給餌器１０２の開口部の下部には、電磁石格納庫上蓋４が設けられ、その下が電磁石室１０７となっている。電磁石室１０７には電磁石Ａが設けられ、そのＮ極側を電磁石Ａ１、Ｓ極側を電磁石Ａ２とする。
【００６７】
また、給餌１０２の上部には、アーチ型金具１８と電線移動用切込み１９が設けられている。これらは、付勢用重り２と一体化する電線の動きを調整する。電線移動用切込み１９は電線の上下運動を導く電線ガイドとなる。また、アーチ型金具１８は電線移動用切込み１９の上部に設けられており、跳ね上げ式扉３が閉じられ、付勢用重り２が上に上がった時に、電線がアーチ型金具１８にあたり、電線移動用切込み１９から外れない構造となっている。
【００６８】
また、給餌器１０２の上部には、電線を固定するためのボックスである電線Ｘの固定ボックスＸＯと電線Ｙの固定ボックスＹＯが配置されている。ボックスＸＯには、直流−側から伸びた電線Ｘが固定される。またボックスＹＯには、直流＋側から伸びた電線Ｙが固定され、それぞれ電線の落下防止に用いられている。
【００６９】
ここで、給餌器１０２の内部において、エリミネータールーム１の設置される位置は特に限定されるものではない。
【００７０】
また、必ずしも、給餌器１０２にアーチ型金具１８と電線移動用切込み１９が設けられる必要はない。但し、付勢用重り２と一体化して動く電線の動きを制御し、給餌器１０２の内部から電線が外れにくくなる点から、給餌器１０２にアーチ型金具１８と電線移動用切込み１９が設けられることが好ましい。
【００７１】
また、必ずしも、給餌器１０２に電線Ｘの固定ボックスＸＯと電線Ｙの固定ボックスＹＯが配置される必要はない。但し、電線Ｘ及び電線Ｙを強固に固定し、電線が脱落しにくくなる点から、給餌器１０２に電線Ｘの固定ボックスＸＯと電線Ｙの固定ボックスＹＯが配置されることが好ましい。
【００７２】
また、図１に示すように、一食目餌入れ１０の上面に、臭い送風機１１と、固定疑似餌１７が設けられている。臭い送風機１１は二食目の餌の時間になると通電され、餌の臭気でペットを引き付ける。また、固定疑似餌１７は、ペットを引き付け、給餌器１０２の内部に首を深く突っ込ませるために用いる。
【００７３】
また、給餌器１０２の開口部の側部には、引き戸などを開口部に入れるための引き戸の出し入れ口９が設けられている。また、その上部には、ペットの強烈な引っ張りを防止するための警報ブザー８が設けられている。
【００７４】
また、警報ブザー８の近傍には、電磁石Ｂが配置されている。電磁石Ｂを形成するのは、鉄芯と鉄芯に巻かれた電磁石エナメル線１２である。電磁石Ｂは、後述する一食目の餌盗り防止の仕組みを構成している。また、電磁石Ｂは据付ケース１６によって給餌器１０２に据付けられている。
【００７５】
また、給餌器１０２は、引出し式餌箱１０３の引出しを滑らかな動きにするための餌箱車輪のガイド１４を有している。また、餌箱車輪のガイド１４の先端には車輪ストッパー２５が設けられている。
【００７６】
また、給餌器１０２の上部には、屋根取付け金具用ホール２０が備えられている。この部分で固定し、給餌器１０２に屋根を取り付けることで、屋外でも使用可能にすることができる。
【００７７】
また、給餌器１０２は、給餌器を移動可能にする方向自在車輪１５と、高さを調節するためのジャッキ２２と、電線着脱防止用の地面打ち込み杭２１を備えている。また、給餌器１０２には、水平計器２３が取り付けられている。
【００７８】
ここで、必ずしも、一食目餌入れ１の上部に固定疑似餌１７が設けられる必要はない。但し、二食目の餌の時間に、視覚的にペットを引きつけ、給餌器に近づきやすくさせる点から、一食目餌入れ１の上部に固定疑似餌１７が設けられることが好ましい。
【００７９】
また、必ずしも、給餌器１０２に、餌箱車輪のガイド１４と車輪ストッパー２５が設けられる必要はなく、餌箱が引出し可能に構成されていれば充分である。但し、車輪と車輪ガイドで引出しをスムーズに行い、餌箱を一定の位置で止めることができる点から、給餌器１０２に、餌箱車輪のガイド１４と車輪ストッパー２５が設けられることが好ましい。
【００８０】
また、必ずしも、給餌器１０２の上部には、屋根取付け金具用ホール２０が備えられる必要はない。但し、ボルトなどの固定具を用いて給餌器１０２に屋根を取り付け、給餌システム１０１を屋外でも使用可能になる点から、給餌器１０２の上部には、屋根取付け金具用ホール２０が備えられることが好ましい。なお、屋根の取付け方法は特定の方法に限定されるものではない。
【００８１】
また、必ずしも、給餌器１０２が方向自在車輪１５とジャッキ２２と地面打ち込み杭２１を備える必要はない。但し、給餌システム１０１の移動や固定、高さの変更を可能とし、給餌システム１０１を使い勝手のよいものにできる点から、給餌器１０２が方向自在車輪１５とジャッキ２２と地面打ち込み杭２１を備えることが好ましい。
【００８２】
また、図３に示すように、給餌器１０２は内部に、エリミネータールーム１を備えている。エリミネータールーム１には、分電盤２９と、トランス３０と、ブリッジダイオード３１と、コンデンサ３２が備えられており、給餌器１０２の内部の配線に電気を流すために必要となる。
【００８３】
また、エリミネータールーム１の下部には、電源から電気を供給する配電盤２７が設けられている。全ての電磁石は、エリミネータールーム１と連結して通電されている。
【００８４】
また、エリミネータールーム１には、餌の時間を設定するタイマー２８が取り付けられている。タイマーは「１４プログラムの設定機能」と、「１秒刻みの電源ＯＮとＯＦＦの切り替え機能」を有している。
【００８５】
また、前述したが、引出し式餌箱１０３の前面部分には電磁石室１０７が設けられている。電磁石室１０７には、電磁石Ａが取り付けられ、エリミネータールーム１と連結した配線が繋がっている。電磁石ＡのＮ極側が電磁石Ａ１、Ｓ極側が電磁石Ａ２である。
【００８６】
また、電磁石Ａ１は引出し式餌箱１０３の真正面中央に配置され、電磁石Ａ２は電磁石室１０７の天井面に配置されている。この構成により、ＳＮ両極を引出し式餌箱１０３の上面と前面に配置していることになる。電磁石Ａ１及び電磁石Ａ２はいずれも外部に露出された形で配置されている。
【００８７】
また、ペットには強磁性体であるペンダントＱを装着させる。通電された電磁石Ａ１と電磁石Ａ２にペンダントＱが近づくことで、電磁石Ａ１または電磁石Ａ２のいずれかにペンダントＱを吸着させることができる。また、Ｍ１及びＦ１は、ペットの口と噛み歯及びフットワークを示している。また、Ｍ２はマウスピースＭ２を示している。
【００８８】
また、後述する侵入口付き引き戸４２を設置した場合には、複数の引き戸から選択し、侵入口Ｖの大きさを変えることで、ペンダントＱと電磁石Ａ１Ａ２を吸着させやすくすることができる。
【００８９】
また、電磁石室１０７は、引出し式餌箱１０３の前側部分に強固に固定され、その両隣には空間１２６が形成されている。また、電磁石室１０７及び空間１２６の上面には、引き戸設置用の板１２５が形成されている。引出し式餌箱１０３の収納時には、引き戸設置用の板１２５の上を一食目餌入れ１０の前面に設置された引き戸が通過することになる。
【００９０】
また、引き戸設置用の板１２５には、２本の引き戸用のガイド溝１２０が設けられている。引き戸用のガイド溝１２０を設けることで、引き戸の動きを安定させ、摩擦を軽減することで引き戸を保護することができる。なお、２本の引き戸用のガイド溝１２０にすることで、外側に侵入防止引き戸４３を、内側に侵入口付き引き戸４２をそれぞれ設置することが可能となる。
【００９１】
また、引き戸設置用の板１２５上に位置する電磁石Ａ１は、その周辺部分がくり貫かれ、電磁石Ａ１が露出されるように空間が形成されている。
【００９２】
ここで、必ずしも、電磁石室１０７の両隣に空間１２６が形成される必要はない。但し、ペット用の水入れなどを設置し、給餌器１０２の空いた空間を活用できる点から、電磁石室１０７の両隣に空間１２６が形成されることが好ましい。
【００９３】
また、必ずしも、電磁石室１０７の上面に引き戸設置用の板１２５が形成される必要はない。一食目餌入れ１０の前面に設置された引き戸が取り外し可能となっていれば充分である。但し、引き戸の取り外しが容易になる点と、引出し式餌箱１０３が壊れにくくなる点から、電磁石室１０７の上面に引き戸設置用の板１２５が形成されることが好ましい。
【００９４】
また、必ずしも、引き戸設置用の板１２５に引き戸用のガイド溝１２０が設けられる必要はなく、一食目餌入れ１０の前面に設置された引き戸が取り外し可能となっていれば充分である。但し、取り外し時に引き戸が脱落しにくくなる点と、引き戸の動きをスムーズにできる点から、引き戸設置用の板１２５に引き戸用のガイド溝１２０が設けられることが好ましい。
【００９５】
また、図３に示すように、給餌器１０２の内部では、コンデンサ３２から配線経路が張り巡らされており、コンデンサ３２の＋側に接続した配線を電線Ｙ、−側に接続した配線を電線Ｘで示している。
【００９６】
また、電線Ｘ及び電線Ｙは、ボックスＷに集約され、電線Ｘと電線Ｙに由来する二芯化のコードＫになる。また、ボックスＷはコードＫと付勢用重り２が一体化して形成されている。また、ボックスＷには重さを調節するための調節用重り３３が上部に取付けられている。
【００９７】
また、ボックスＷは付勢用重り２を含むため、跳ね上げ式扉３の開閉に伴い、給餌器１０２の内部を上下に動くことになる。この動きを可能とするため、ボックスＷと繋がる電線Ｘ，電線Ｙ及びコードＫは長さにゆとりを持たせてある。なお、電線Ｘ及び電線Ｙの動きを調節するのが、アーチ型金具１８と電線移動用切込み１９である。
【００９８】
例えば、跳ね上げ式扉３が閉じた状態にある時は、ボックスＷは、上がっており、電線Ｘ及び電線Ｙはそれぞれ、Ｘ２及びＹ２の位置にある。逆に、跳ね上げ式扉３が開いた状態にある時は、ボックスＷは、下がっており、電線Ｘ及び電線Ｙはそれぞれ、Ｘ１及びＹ１の位置にある。
【００９９】
また、ボックスＷの先端にはコードＫを通す円柱形の圧縮バネ１０８が設けられている。圧縮バネ１０８の撓みと、元に戻ろうとする付勢力により、コードＫを引き戻し、引出し式餌箱１０３を収納された位置に戻すことができる。
【０１００】
また、コードＫは、引出し式餌箱１０３と繋がっている。そのため、引出し式餌箱１０３の引出しと引き戻しの動きに対応する作りとなっている。具体的には、二芯化することで引出しと引き戻しで生じる摩擦に対する電線の耐久性を向上させている。
【０１０１】
また、引出し式餌箱１０３が引き出される際に、滑らかに引出せるように、２箇所の送線ガイドＺ１及び送線ガイドＺ２を設けている。送線ガイドＺ１は前後に動く金具及びスベリベアリングを装着した金属の輪である。送線ガイドＺ２は床面に設置され、前後に回転軸を取付けた枠でコードＫを挟む構造になっている。
【０１０２】
また、送線ガイドＺ１及び送線ガイドＺ２を通過したコードＫは、引出し式餌箱１０３の方に配線され、引出し式餌箱１０３の背面の底部部分で、コード固定版３４によって強固に固定処置が施されている。この部分で強固に固定することで、引出し式餌箱１０３とボックスＷを連動して動かすことが可能になる。
【０１０３】
コード固定版３４を通過したコードＫは、引出し式餌箱１０３の下方を通る配線となる。そのまま、前方に向かい、電磁石室１０７の下部に設けられた接続端子盤３５に繋げられる。接続端子盤３５には、電磁石Ａ１と電磁石Ａ２を形成するエナメル線も接続され、この部分で、電磁石Ａは配線と接続される。
【０１０４】
ここで、必ずしも、コードＫが二芯化に形成される必要はない。但し、引出し式餌箱１０３の動きに連動する電線の耐久性が向上する点から、コードＫが二芯化に形成されることが好ましい。
【０１０５】
また、必ずしも、送線ガイドＺ１及び送線ガイドＺ２が設けられる必要はない。但し、給餌器１０２の内部での電線の動きをスムーズにして、電線へかかる負担を軽減できる点から、送線ガイドＺ１及び送線ガイドＺ２が設けられることが好ましい。
【０１０６】
また、図３に示すように、引出し式餌箱１０３の底面には、永久磁石ａが配置されている。また、引出し式餌箱１０３が引き出された時に通る経路の下部にはスイッチボックス３８が設けられている。スイッチボックス３８は、電磁石Ａ１と電磁石Ａ２への通電を止めるために用いられる。また、符号３９はシャフト受け装置３９、符号４０は車輪半球上部カバー４０を示している。
【０１０７】
ここで、必ずしも、永久磁石ａとスイッチボックス３８が設けられる必要はない。但し、ペットが二食目の餌を食べる際に、電磁石Ａ１及び電磁石Ａ２への通電を止め、餌が食べやすくなる点と、ペットの激しい引っ張りにより引出し式餌箱１０３が壊れにくくする点から、永久磁石ａとスイッチボックス３８が設けられることが好ましい。
【０１０８】
給餌器１０２の開口部には、侵入口付き引き戸４２又は侵入防止引き戸４３が設けられている。図４（ａ）に示すように、侵入口付き引き戸４２には、ペットが頭を入れることが可能な侵入口Ｖが設けられている。なお、侵入口付き引き戸４２は、ペットの大きさに応じて、大きさが異なる侵入口Ｖを有する、複数の引き戸を準備することができる。
【０１０９】
また、侵入防止引き戸４３が給餌器１０２の開口部に配置されている時には、ペットやその他の動物の餌盗りを排除することができる。侵入防止引き戸４３の上部には、鎖４４が取り付けられ、その先端にはペットの興味を引き付け、Ｍ１で銜えられることになるマウスピースＭ２が設けられている。なお、符号４１は屋根ボルト締め４１を示す。
【０１１０】
また、侵入防止引き戸４３の鎖４４が取り付けられた側と反対部分には、上方に突起した形状のブザースイッチのプッシュ部４５が設けられている。これにより、侵入防止引き戸４３が、給餌器１０２の開口部の設置位置から完全に引き抜かれることがなくなり、侵入防止引き戸４３の外への落下を防止している。
【０１１１】
また、給餌器１０２の内側壁面のブザースイッチのプッシュ部４５と対応する位置に警報ブザー８が設置されている。
【０１１２】
ここで、侵入防止引き戸４３の材料は特に限定されるものではない。但し、ペットの強烈な引っ張りや摩擦により壊れにくくなる点から、軽くて強度がある金属類、例えばアルミニウムなどで引き戸が形成されることが好ましい。また、引き戸の形状も特に限定されるわけではないが、摩擦に対しての耐久性を向上させる点から、引き戸の角や底面に丸みをつけることが好ましい。なお、床面を滑り易く加工することも摩擦への対策として有効である。
【０１１３】
また、必ずしも、警報ブザー８とブザースイッチのプッシュ部４５が設けられる必要はない。但し、ペットが引き戸を強烈に引っ張った際に、警報を鳴らし、引っ張りを抑えることができる点から、警報ブザー８とブザースイッチのプッシュ部４５が設けられることが好ましい。
【０１１４】
また、図４（ｂ）に示すように、給餌器１０２の外壁部分には、壁の一部を貫通したトンネル１０４が設けられている。また、給餌器１０２のトンネル１０４より内側の部分には、軽金属製の棒１０５が永久磁石ｂと一体化し、配置されている。トンネル１０４と棒１０５の間には、棒１０５を通すことが可能な大きさの軽金属製管のトンネル１０６が設けられている。
【０１１５】
トンネル１０４には侵入防止引き戸４３と繋がったマウスピースＭ２が挿入され、軽金属製管のトンネル１０６には、棒１０５の先端の半分程が挿入されている。また、永久磁石ｂの近傍かつ給餌器１０２の内側の部分には電磁石Ｂが設置されている。永久磁石ｂと電磁石ＢはＮ極が同極反発する向きに設けられている（図１にはｂＮとＢＮで示す。）。
【０１１６】
また、マウスピースＭ２と繋がった鎖４４は、電磁石Ｂに通電する前は、給餌器１０２の壁面に凹み部（図示せず。）を設け、その部分に隠されている。
【０１１７】
また、引出し式餌箱１０３が引き出された時に通る経路の下部にはスイッチボックス３８が設けられている。図５に示すように、スイッチボックス３８は、配電盤２７からの配線３６と、強磁性体５７と、タイマー２８に接続された配線５２を備えている。また、スイッチボックス３８は、床据付けボルト穴５８で床面に固定されている。
【０１１８】
また、引出し式餌箱１０３の下面には永久磁石ａが配置され、落下防止のためにキャップ５５が取り付けられている。また、符号５４は、引出し式餌箱１０３の底面５４を示している。
【０１１９】
また、強磁性体５７の先端には配線３６と連結した入電側銅版６０が配置され、その反対側には配線５２と繋がった出電側銅版５９が配置されている。入電側銅版６０と出電側銅版５９が接することで、通電が可能となる。
【０１２０】
以上までの部分が給餌システム１０１の構成である。なお、給餌システム１０１の構成は本発明を適用した動物給餌システムの一例であり、本発明の構成は、給餌システム１０１で示したものに限定されるものではない。
【０１２１】
続いて、給餌システム１０１について図面を参照しながら、その動作について説明する。
【０１２２】
まず、跳ね上げ式扉３が開くことで可能になる一食目の餌の提供について説明する。
【０１２３】
一食目の餌の時間の前は、跳ね上げ式扉３は閉じた状態であり、通電されていない電磁石Ｃと跳ね上げ式扉３に設置された永久磁石ｃは吸着している。
【０１２４】
その後、一食目の設定時間になった際に、タイマー２８がＯＮとなり、配線への通電がされる。通電により、給餌器１０２に設けられた電磁石Ｃに磁力が発生し、電磁石ＣのＳ極と永久磁石ｃのＳ極の間の同極反発が生じ、跳ね上げ式扉３が開く方向へと動く。また、跳ね上げ式扉３と連結した付勢用重り２が、梃子Ｔにより跳ね上げ式扉３の動きに連動して給餌器１０２の内部で下に下がり、跳ね上げ式扉３は開いたままとなる。
【０１２５】
ここでの通電は１秒でＯＦＦになるようにタイマー２８に設定されている。通電の止まった電磁石Ａ１及び電磁石Ａ２とペンダントＱは吸着しなくなり、これによりペットがペンダントＱによって二食目の餌が入った引出し式餌箱１０３を引き出せなくなる。これが、二食目の餌盗り防止の仕組みである。
【０１２６】
次に、一食目用の餌盗り防止の仕組みの有無で、給餌システム１０１の動作が異なる。具体的には、給餌器１０２の開口部に、侵入口付き引き戸４２が設けられていた場合が餌盗り防止の仕組み無し、侵入防止引き戸４３が設けられていた場合が餌盗り防止の仕組み有りとなる。
【０１２７】
給餌器１０２の開口部に、侵入口付き引き戸４２が設けられていた場合には、跳ね上げ式扉３が開くことで、ペットは侵入口付き引き戸４２の侵入口Ｖから給餌器１０２の内部に頭を入れることができる。給餌器１０２の内部には、一食目餌入れ１０が配置されているので、ペットはそのまま一食目の餌を食べることができる。
【０１２８】
また、給餌器１０２の開口部に、侵入防止引き戸４３が設けられていた場合には、ペットはそのままでは餌を食べることはできない。つまり、侵入防止引き戸４３を設けておけば、ペット自身やその他の動物の一食目の餌盗りを排除することができる。
【０１２９】
一食目の餌の時間となり、給餌器１０２の内部に設けられた電磁石Ｂに通電される。これにより、電磁石Ｂの近傍に配置された永久磁石ｂが同極反発により跳ねて、永久磁石ｂと一体化した軽金属製の棒１０５がマウスピースＭ２に衝突する。マウスピースＭ２はその勢いで給餌器１０２の外に飛び出してくる。
【０１３０】
飛び出したマウスピースＭ２に気付いたペットのＭ１が、これを銜え、引っ張ることで、マウスピースＭ２と鎖４４で繋がった侵入防止引き戸４３が動かされる。侵入防止引き戸４３が引かれ、給餌器１０２の内部にペットが頭を入れることができるようになったところで、ペットが一食目を食べることができる。
【０１３１】
また、ペットがマウスピースＭ２を強烈に引っ張った場合には、警報ブザー８がブザースイッチのプッシュ部４５に押され、警報を出すことができる。警報に驚き、ペットの引っ張りを止めさせることができる。
【０１３２】
このように、侵入防止引き戸４３を設置した時には、餌の時間が来るまでは、ペット自身による一食目の餌盗りを防止することができる。また、餌の時間が来た時にも、マウスピースＭ２を引っ張る動作を知らない、ペット以外の動物からの餌盗りを排除することができる。
【０１３３】
なお、ここでは、侵入防止引き戸４３のさらに内側に、侵入口付き引き戸４２を設置しておいてもよい。侵入口Ｖの大きさにより、ペットが頭を入れ、ペンダントＱがぶら下がる位置をある程度の範囲に収めることができる。つまり、ペンダントＱを電磁石Ａ１または電磁石Ａ２に吸着させやすい位置に持ってくることができる。
【０１３４】
続いて、引出し式餌箱１０３を用いる二食目の餌の提供について説明する。
【０１３５】
二食目の設定時間になった際に、タイマー２８がＯＮとなり、配線への通電がされる。通電により、臭い送風機１１が動き、二食目の餌の臭気を漂わせ、ペットが臭気に気付くことになる。また、固定疑似餌１７が引出し式餌箱１０３の上面に設置されているため、ペットが固定疑似餌１７に誘われ、より頭を給餌器１０２の内部に入れやすくなっている。
【０１３６】
二食目の餌の時間であることを意識したペットが、給餌器１０２に近づいてくる。そして、ペットの装着したペンダントＱと、引出し式餌箱１０３の上面及び前面に配置された電磁石Ａ１及び電磁石Ａ２が近くなる。電磁石Ａ１と電磁石Ａ２は通電されることで、それぞれＮ極とＳ極の磁力を生じる。
【０１３７】
ペットのペンダントＱと電磁石Ａ１または電磁石Ａ２のいずれかが吸着する。吸着に驚いたペットが後ろに下がり、吸着力により引出し式餌箱１０３も引き出される。
【０１３８】
ここで、引出し式餌箱１０３が引き出され、スイッチボックス３８の上方を通り、永久磁石ａがスイッチボックス３８の内部の強磁性体５７を吸着することで、入電側銅版６０と出電側銅版５９が離れ、通電が止まることになる。通電が止まれば、ペットのペンダントＱと電磁石Ａ１または電磁石Ａ２との吸着が無くなり、ペットが餌を食べる際の障害にならなくなる。また、ペットが強烈に引っ張ることにより餌箱を損壊させる危険を減らすことができる。
【０１３９】
引出し式餌箱１０３がペットの力で引き出され、ペットのペンダントＱと電磁石Ａ１または電磁石Ａ２との吸着力がなくなり、ペットは安心して餌入れ１０−２に入れられた二食目の餌を食べることができる。
【０１４０】
また、使用後には人の手で跳ね上げ式扉３が閉じる方向に押して扉を戻す。跳ね上げ式扉３が閉じる方向に動くことで、給餌器１０２の内部のボックスＷが上方に上がる。この動きをきっかけに、ボックスＷの先端の圧縮バネ１０８が撓んだ状態から元に戻ろうとする付勢力が生じ、その勢いで引出し式餌箱１０３の引出しで伸びていたコードＫが、給餌器１０２の内部に引き戻される。これに伴い、引き出された引出し式餌箱１０３を給餌器１０２の方に引き戻すことができる。
【０１４１】
以上までは、本発明を適用した動物給餌システムの一例を示した。但し、本発明の内容は上記で示したものに限定されるものではなく、給餌システム１０１はあくまで一例である。
【０１４２】
続いて、本発明を適用した三食以上給餌システムの実施形態について説明する。
図６は、三食以上給餌システムを示す概略図である。図７は、オブジェクトの周辺構造を示す概略図（ａ）及びその細部を示す概略図（ｂ）と、オブジェクトが飛び出した後の概略図（ｃ）である。
【０１４３】
図６に示すように、三食以上給餌システム１０９は、餌が入れられる３つの引出し式餌箱１１０と通電するための配線となる延長コード１１１を備えている。また、引出し式餌箱１１０は並列に並べられている。
【０１４４】
また、引出し式餌箱１１０の前面には、魚の形を模した疑似餌風オブジェクト７４が設けられている。疑似餌風オブジェクト７４はペットに引出し式餌箱１１０に引出し作業を行わせるための取っ掛かりの部分となる。
【０１４５】
また、符号７９はタイマー、エリミネーターの設置領域７９である。タイマーは餌の時間に応じて、電磁石に通電する時間を設定する。また、エリミネーターは、配線に電気を流すために必要となる。
【０１４６】
また、延長コード１１１のうち、直流＋側から伸びた電線を電線Ｙ、直流−側から伸びた電線を電線Ｘで示す。また、電線Ｘ及び電線Ｙの落下を防止し、固定するための装置として電線Ｘの固定ボックスＸＯ及び電線Ｙの固定ボックスＹＯが、三食以上給餌システム１０９の内部に設けられている。
【０１４７】
また、延長コード１１１は、引出し式餌箱１１０の引出しを可能にするため、コード延長部確保場所Ｒが設けられている。１つの引出し式餌箱１１０につき４つのコード延長部確保場所Ｒを有しており、左側からＲ１〜Ｒ１２の符号で示している。また、各コード延長部確保場所Ｒに対応する位置におもり１１７が取り付けられ、引出し式餌箱１１０の出し入れと延長コード１１１のバランスを取っている。
【０１４８】
また、延長コード１１１の配線の途中には、延長コード１１１の動きを滑らかにするための送線ガイドＺ１及び送線ガイドＺ２が設けられている。これらは、前述した給餌システム１０１に備えられたものと同様のものを用いることができる。
【０１４９】
三食以上給餌システム１０９には、全体で１４箇所のＺ１が設けられており、左側からＺ１−１〜Ｚ１−１４の符号で示している（１４個全ては図示せず。）。また、１つの引出し式餌箱１１０につき２つの送線ガイドＺ２が設けられ、Ｚ２−１及びＺ２−２で示している。
【０１５０】
また、１つの引出し式餌箱１１０につき２つのコード固定板３４が設けられ、３４−１及び３４−２で示している。コード固定版により、配線に固定処置が施されている。また、１つの引出し式餌箱１１０につき２つの接続端子盤３５が設けられ、３５−１及び３５−２で示している。接続端子盤３５により、配線と後述する電磁石Ｄのエナメル線が繋がっている。
【０１５１】
また、三食以上給餌システム１０９は、上部に円形屋根８０を備えている。また、各引出し式餌箱１１０を連結するための連結金具８２が取り付けられている。なお、符号８１は、引出し式餌箱１１０を引き出す際に用いる車輪ガイドの設置板８１である。
【０１５２】
ここで、引出し式餌箱１１０の数は３つに限定される必要はなく、数を増やして４つ以上の構造にすることもできる。設置するスペースが確保できる場所であれば、餌箱の数を増やし、より多数の給餌に対応させることもできる。
【０１５３】
また、タイマー、エリミネーターの設置領域７９は、図６に示す位置に限定されるものではなく、設置位置の一例に過ぎない。
【０１５４】
また、コード延長確保場所Ｒは特定の数に限定されるものではない。一例として、１２個のＲを示しているが、引出し式餌箱１１０の引出しが可能な長さの延長コードが確保できれば、コード延長確保場所Ｒはいくつ設けられてもよい。
【０１５５】
また、必ずしも、送線ガイドＺ１及び送線ガイドＺ２を設けられる必要はない。但し、給餌器の内部での電線の動きをスムーズにして、電線へかかる負担を軽減できる点から、送線ガイドＺ１及び送線ガイドＺ２が設けられることが好ましい。
【０１５６】
また、必ずしも、円形屋根８０を備える必要はないが、三食以上給餌システム１０９を屋外にも設置可能にできる点から、円形屋根８０を備えることが好ましい。
【０１５７】
また、必ずしも、連結金具８２と車輪ガイドの設置板８１が設けられる必要はなく、引出し式餌箱１１０が引出し可能に構成されていれば充分である。
【０１５８】
図７（ａ）に示すように、疑似餌風オブジェクト７４には２つの永久磁石ｄが取り付けられている。また、永久磁石ｄは非磁性金属で形成された射出管６８と一体化している。射出管６８の大部分は、略Ｕ字型で空洞が形成された磁石鉄芯１１９の空洞部分に挿入されている。また、磁石鉄芯１１９の後端側は略Ｕ字型のアーム６３が形成されている。磁石鉄芯１１９及びアーム６３は鉄製の管であり、磁石鉄芯１１９にはエナメル線が巻かれ電磁石の鉄芯となる。
【０１５９】
また、エナメル線の巻かれていないアーム６３及び鉄芯首部６６がそれぞれ、アーム据付部６４及び鉄芯首部据付部６７に据付けられる。符号６１及び６２はアーム導入口であり、符号６５は鉄芯首部導入口６５である。
【０１６０】
また、磁石鉄芯１１９にはエナメル線が巻きつけられ、電磁石Ｄが形成されている。２つの永久磁石ｄと１つの電磁石Ｄはそれぞれが同極反発する向きに設けられている。また、延長コード１１１は、電磁石Ｄに通電するためにエナメル線と繋がっている。
【０１６１】
また、符号７０が引出し式餌箱の表面７０、符号７１が磁石ルーム防壁７１、符号７２が電磁石Ｄの据付エリア７２、そして符号７３が飛び出し前の永久磁石ｄの待機エリア７３である。
【０１６２】
また、図７（ｂ）に示すように、射出管６８の挿入された後端部分にはピアノ線７６が結線され、ピアノ線７６の先には疑似餌風オブジェクト７４の飛び出しを停止させるための射出停止用球６９が取り付けられている。また、アーム６３には、射出停止用球６９を止める侵入阻止口７７が設けられている。
【０１６３】
また、図７（ｃ）には、疑似餌風オブジェクト７４が飛び出した後の状態を示している。永久磁石ｄと電磁石Ｄの同極反発で跳び出した疑似餌風オブジェクト７４は、飛び出し前の位置から約３０ｍｍ前方に飛び出している。
【０１６４】
符号７８は電磁石Ｄと永久磁石ｄの直接接触を避け、雨水の侵入を防ぐ非磁性のフィルター７８である。また、符号８６は、オブジェクトを象り半格納しておく領域８６である。また、疑似餌風オブジェクト７４はジュラルミンで形成されている。また、符号Ｆ２はペットのフットワークＦ１を誘うフットワークを誘う取っ手Ｆ２を示す。
【０１６５】
ここで、疑似餌風オブジェクト７４の形は特に限定されるものではない。但し、魚の形であれば横長の形により２つの永久磁石ｄを隠すことができる点及び背びれの部分が取っ手としてペットを誘いやすい点から、疑似餌風オブジェクト７４は魚の形にされることが好ましい。また、魚の形でなく、キャラクター等の形を採用することもできる。
【０１６６】
また、オブジェクトが飛び出す距離は特に限定されるものではない。但し、二食目以降の餌を、時間をずらして同じペットに食べさせたい場合には、オブジェクトを引き戻し、再度の飛び出しを容易にする点から、飛び出す距離を３０ｍｍ以内にすることが好ましい。この点については、この後の一匹のペットに三食を分けて与える場合で詳しく述べる。
【０１６７】
また、必ずしも、非磁性のフィルター７８が設置される必要はない。但し、電磁石Ｄと永久磁石ｄを接触から保護できる点と、雨水の侵入を避け、屋外でも三食以上給餌システム１０９が使いやすくなる点から、非磁性のフィルター７８が設置されることが好ましい。
【０１６８】
また、必ずしも、オブジェクトを象り半格納しておく領域８６が設けられる必要はない。但し、オブジェクトを半格納しておくことで、餌の時間以外にペットがオブジェクトに足を引っ掛けにくくすることができる点から、オブジェクトを象り半格納しておく領域８６が設けられることが好ましい。
【０１６９】
また、必ずしも、疑似餌風オブジェクト７４はジュラルミンで形成される必要はない。但し、強度がある点及び飛び出し前の半格納するための背面の象りが可能な材質である点から、疑似餌風オブジェクト７４はジュラルミンで形成されることが好ましい。
【０１７０】
以上、上記の様に構成された三食以上給餌システム１０９について、その動作について説明する。
【０１７１】
まず、同じ餌の時間に、三食を三匹のペットに与える場合について説明する。この場合には、餌の時間になるとタイマーがＯＮとなり、配線に通電される。各引出し式餌箱１１０の前面に設けられた疑似餌風オブジェクト７４が、疑似餌風オブジェクト７４の２つの永久磁石ｄと通電された電磁石Ｄとの同極反発で前面に飛び出す。
【０１７２】
また、疑似餌風オブジェクト７４の飛び出しに気付いたペットが、疑似餌風オブジェクト７４に誘われ、疑似餌風オブジェクト７４の取っ手Ｆ２にフットワークＦ１を引っ掛ける。引出し式餌箱１１０がペットの力により、前面に引き出され、ペットが餌を食べることができる。
【０１７３】
次に、一匹のペットに三食を分けて与える場合について説明する。この場合は、一食目の餌をペットが食べる流れは前述までと同様である。ここで、二食目、三食目の疑似餌風オブジェクト７４は、次の餌の時間に備えて、引っ込めておく必要がある。
【０１７４】
そこで、疑似餌風オブジェクト７４を引っ込めるために、タイマーをＯＦＦにして通電を止める。電磁石Ｄは金属の塊に戻り、疑似餌風オブジェクト７４の永久磁石ｄとの間の吸着力をもって、疑似餌風オブジェクト７４を引っ込める。但し、吸着力が空気抵抗の力によってかなり弱められることが懸念される。
【０１７５】
ガウス数２６００Ｇ＝吸着力２０ｋｇを用いた実験の結果では、疑似餌風オブジェクト７４が飛び出した先が餌箱の表面から３０ｍｍを超えていると、吸着力の低下が顕著となる。また、疑似餌風オブジェクト７４をペットに引き出させるための飛び出し距離は、ペットのサイズによって異なる。
【０１７６】
そこで、吸着力を補うために、次の手段をとることができる。１つ目は、磁石鉄芯１１９及びアーム６３を射出方向が少し上向きになるように傾けて取り付けることである。飛び出した疑似餌風オブジェクト７４は、吸着力と傾きによって、戻りやすくなる。
【０１７７】
また、２つ目は、射出停止用球６９の重量を増しておくことである。射出停止用球６９の重みと傾きにより、疑似餌風オブジェクト７４を引っ込める方向に滑り落ちやすくすることができる。
【０１７８】
このように、一匹のペットに三食を分けて与える場合には、二食目、三食目用の引出し式餌箱１１０の構造を変えることで対応することができる。
【０１７９】
以上のように、三食以上給餌システム１０９は、三食以上の餌をペットに充分に給餌することができる作りとなっている。
【０１８０】
次に、他の実施形態１として、本発明を適用した動物給餌システムの一例である、下りスロープ式簡易システム１１２を例に挙げる。
図８は、下りスロープ式簡易システムを示す概略図である。
【０１８１】
図８に示すように、下りスロープ式簡易システム１１２は、引出し式餌箱１１３と、引出し式餌箱１１３の前方に形成された下りスロープ８５と、車輪ストッパー１１４とタイマー（図示せず）を備えている。
【０１８２】
また、引出し式餌箱１１３は、車輪を有する餌箱１１５と、餌箱を収納する本体部１１６から構成される。また、下りスロープ式簡易システム１１２は、エリミネータールーム１を備えている。
【０１８３】
また、餌箱１１５の背面には永久磁石ｅが取り付けられている。また、本体部１１６の永久磁石ｅと対応する位置には、配線と繋がった電磁石Ｅが配置されている。
【０１８４】
下りスロープ式簡易システム１１２の動作について説明する。
【０１８５】
餌の時間になるとタイマーがＯＮになり、配線に通電される。本体部１１６に配置された電磁石Ｅに通電され、餌箱１１５の永久磁石ｅとの間で同極反発が起こる。この反発力により、餌箱１１５が、外側に向かって動き出す。なお、餌の時間の前で、通電されていない時は、電磁石Ｅは、金属の塊であり、永久磁石ｅに吸着するので、餌箱１１５は停止したままとなっている。
【０１８６】
また、餌箱１１５の車輪と下りスロープ８５により、動き出した餌箱１１５は外部へ飛び出していく。勢いのついた餌箱１１５は、車輪ストッパー１１４により動きが止められる。外部に出てきた餌箱１１５に入った餌をペットに食べさせることができる。
【０１８７】
また、この下りスロープ式簡易システムで複数のペットに餌をやる場合には、器を大きくすることで対応することができる。また、システムを複数連結することで対応することもできる。
【０１８８】
また、餌箱が小さくて済む場合には、１つの電磁石ＥのＳＮ両極を用い、１つの電磁石に対して、２つの餌箱１１５を設置することも可能である。つまり、電磁石ＥのＳ極側に一方の餌箱１１５を配置し、電磁石ＥのＮ極側に他方の餌箱１１５を配置した構成にする。こうすることで、二食の餌をペットに与えることもできる。
【０１８９】
続いて、他の実施形態２として、本発明を適用した動物給餌システムの一例である、大型犬可能一食用システム１１８を例に挙げる。このシステムは、前述した給餌システム１０１をより簡易化したものであり、一食分の給餌を行う。
図９は、大型犬可能一食用システムを示す概略図である。
【０１９０】
図９に示すように、大型犬可能一食用システム１１８は、給餌器１０２と、一食目餌入れ１０と、跳ね上げ式扉３と、エリミネーター及び電磁石セットルーム８３を備えている。また、跳ね上げ式扉３には、付勢用重り２が連結され、給餌器側の部分には永久磁石ｃが取り付けられている。また、エリミネーター及び電磁石セットルーム８３にはタイマー（図示せず）を備えている。
【０１９１】
また、電磁石Ｃがエリミネーター及び電磁石セットルーム８３に設けられている。電磁石Ｃは、跳ね上げ式扉３の永久磁石ｃと対応する位置に配置されている。また、符号２３は水平計器２３を、符号８４は強震対応のための床、側柱との連結固定８４を示している。
【０１９２】
大型犬可能一食用システム１１８の動作について説明する。
【０１９３】
餌の時間になるとタイマーがＯＮになり、配線に通電される。通電により、電磁石Ｃに磁力が発生し、電磁石ＣのＳ極と永久磁石ｃのＳ極との間の同極反発が生じ、跳ね上げ式扉３が開く方向へと動く。
【０１９４】
また、跳ね上げ式扉３と連結した付勢用重り２が、給餌器１０２の内部で下に下がり、跳ね上げ式扉３は開いたままとなる。なお、餌の時間の前で、通電されていない時は、電磁石Ｃは、金属の塊であり、永久磁石ｃに吸着するので、跳ね上げ式扉３は閉じた状態になる。
【０１９５】
跳ね上げ式扉３が開くことで、ペットは給餌器１０２の内部に頭を入れ、一食目餌入れ１０の餌を食べることができる。
【０１９６】
ここでは、大型犬可能のシステムとしたが、餌入れの大きさを変えることで、大型犬に限らず、大きさの異なるペットに対応させることができる。
【０１９７】
また、他の実施形態３として、本発明を適用した動物給餌システムの一例である、大量給餌システム１２１を例に挙げる。
図１０は、大量給餌システムを示す概略図である。
【０１９８】
図１０に示すように、大量給餌システム１２１は、本体部１２２と、大型餌箱１２３と、餌箱扉１２４とを備えている。また、大量給餌システム１２１には配線及びタイマー（図示せず。）が設けられている。
【０１９９】
本体部１２２には、大型餌箱１２３が収納され、収納時に大型餌箱１２３と接する位置には、電磁石が設けられている。また、大型餌箱１２３にも、電磁石と対応する位置に永久磁石が設けられている。餌箱扉１２４は、大型餌箱１２３が本体部１２２から一定距離以上飛び出した際に、開放される構造に形成されている。
【０２００】
大量給餌システム１２１の動作について説明する。
【０２０１】
餌の時間になるとタイマーがＯＮになり、配線に通電される。本体部１２２に配置された電磁石に通電され、大型餌箱１２３の永久磁石との間で同極反発が起こる。この反発力により、大型餌箱１２３が、外側に飛び出す。
【０２０２】
飛び出した大型餌箱１２３が、本体部１２２から一定距離以上動いた時に、餌箱扉１２４が下部方向に向かって開放され、大型餌箱１２３の中に入れられた大量の餌が放出され、動物に給餌することができる。
【０２０３】
上記の大量給餌システム１２１の様に、給餌システムを大型化することで、牛馬、豚、鶏、猪などの家畜動物、熊、ライオンなどの猛獣、鰐などの大型の爬虫類への大量給餌が可能となる。また、構造が複雑でないため故障のリスクが低く、自動で給餌が可能なため、猛獣に噛まれるなどのリスクを低減することができる。
【０２０４】
大量給餌システム１２１の用途先としては、畜産場、動物園、養鶏場、釣り堀、養殖場などが考えられ、タイマーをセットして、餌を入れるだけで使用することが可能であり、人手が足りない現場での活用が期待できる。
【０２０５】
以上のように、複数の実施形態も含めて説明してきたが、本発明を適用した動物給餌システム、二食給餌システム及び三食以上給餌システムは、機械的な構造は電源と配線のみであり、簡易な構造であるため、壊れた場合にも飼い主が容易に修理しやすいものとなっている。
【０２０６】
また、ペットに餌の時間であることを気付かせることができるので、ペットが餌を食べ損ねる不都合を減らすことができる。
【０２０７】
また、餌盗り排除の機能を備えていることから、餌の時間以外にペットが餌を食べようとする行動や、その他の動物からの餌盗りを排除することができる。
【０２０８】
また、給餌器に屋根を取り付けることで屋内だけでなく屋外でも使用することができる。
【０２０９】
また、三食以上給餌システムを用いれば、複数食の自動給餌が可能となり、飼い主が数日間家を留守にすることもできる。
【０２１０】
よって、本発明を適用した動物給餌システム、二食給餌システム及び三食以上給餌システムは、簡易なシステムで、ペットに充分に給餌することができるものとなっている。
【符号の説明】
【０２１１】
１    エリミネータールーム
２    付勢用重り
３    跳ね上げ式扉
４    電磁石格納庫上蓋
５    一食目餌入れが設けられた硬質ステンレス製の固定板の前面
５−２一食目餌入れが設けられた硬質ステンレス製の固定板の背面
６    餌箱背面の切込み
７    シャフト
８    警報ブザー
９    引き戸の出し入れ口
１０    一食目餌入れ
１０−２二食目餌入れ
１１    臭い送風機
１２    電磁石エナメル線
１３    留め金具
１４    餌箱車輪のガイド
１５    方向自在車輪
１６    据付ケース
１７    固定疑似餌
１８    アーチ型金具
１９    電線移動用切込み
２０    屋根取付け金具用ホール
２１    地面打ち込み杭
２２    ジャッキ
２３    水平計器
２４    引出し式餌箱の前面と床面の境界部分
２５    車輪ストッパー
２６    扉ストッパー
２７    配電盤
２８    タイマー
２９    分電盤
３０    トランス
３１    ブリッジダイオード
３２    コンデンサ
３３    調節用重り
３４    コード固定板
３５    接続端子盤
３６    配電盤からの配線
３８    スイッチボックス
３９    シャフト受け装置
４０    車輪半球上部カバー
４１    屋根ボルト締め
４２    侵入口付き引き戸
４３    侵入防止引き戸
４４    鎖
４５    ブザースイッチのプッシュ部
５２    配線
５４    引出し式餌箱の底面
５５    キャップ
５７    強磁性体
５８    床据付けボルト穴
５９    出電側銅版
６０    入電側銅版
６１    アーム導入口
６２    アーム導入口
６３    アーム
６４    アーム据付部
６５    鉄芯首部導入口
６６    鉄芯首部
６７    鉄芯首部据付部
６８    射出管
６９    射出停止用球
７０    引出し式餌箱の表面
７１    磁石ルーム防壁
７２    電磁石Ｄの据付エリア
７３    飛び出し前の永久磁石ｄの待機エリア
７４    疑似餌風オブジェクト
７６    ピアノ線
７７    侵入阻止口
７８    非磁性のフィルター
７９    タイマー、エリミネーターの設置領域
８０    円形屋根
８１    車輪ガイドの設置板
８２    連結金具
８３    エリミネーター及び電磁石セットルーム
８４    床、側柱との連結固定
８５    下りスロープ
８６    オブジェクトを象り半格納しておく領域
１０１    給餌システム
１０２    給餌器
１０３    引出し式餌箱
１０４    トンネル
１０５    軽金属製の棒
１０６    軽金属製管のトンネル
１０７    電磁石室
１０８    圧縮バネ
１０９    三食以上給餌システム
１１０    引出し式餌箱
１１１    延長コード
１１２    下りスロープ式簡易システム
１１３    引出し式餌箱
１１４    車輪ストッパー
１１５    餌箱
１１６    本体部
１１７    おもり
１１８    大型犬可能一食用システム
１１９    磁石鉄芯
１２０    引き戸用のガイド溝
１２１    大量給餌システム
１２２    本体部
１２３    大型餌箱
１２４    餌箱扉
１２５    引き戸設置用の板
１２６    電磁石室の両隣の空間
ＡＢＣＤＥ    電磁石
ａｂｃｄｅ    永久磁石
Ｓ        Ｓ極
Ｎ        Ｎ極
Ｐ        電磁石と永久磁石の間の同極反発
Ｔ        梃子
Ｊ        梃子の支点
Ｆ１      フットワーク
Ｆ２      フットワークを誘う取っ手
Ｍ１      ペットの口と噛み歯
Ｍ２      マウスピース
Ｘ        直流−側から伸びた電線
Ｙ        直流＋側から伸びた電線
ＸＯ      電線Ｘの固定ボックス
ＹＯ      電線Ｙの固定ボックス
Ｗ        電線Ｘと電線Ｙを二芯化させたボックス
Ｋ        コードＫ
Ｘ１      電線Ｘが下がった位置
Ｙ１      電線Ｙが下がった位置
Ｘ２      電線Ｘが上がった位置
Ｙ２      電線Ｘが上がった位置
Ｚ１      送線ガイド１
Ｚ２      送線ガイド２
Ｖ        侵入口付き引き戸の侵入口
Ｒ        コード延長確保場所
【図１】
2014073035.tif 000003
【図２】
2014073035.tif 000004
【図３】
2014073035.tif 000005
【図４】
2014073035.tif 000006
【図５】
2014073035.tif 000007
【図６】
2014073035.tif 000008
【図７】
2014073035.tif 000009
【図８】
2014073035.tif 000010
【図９】
2014073035.tif 000011
【図１０】
2014073035.tif 000012
【図１１】
2014073035.tif 000013
【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
給餌器と、
該給餌器に設けられた所定の配線経路に通電されることで磁性を帯びる少なくとも１つの電磁石と、
該電磁石に通電された場合の磁力を利用してペットの餌盗りを防止する障害物が除去可能に構成された餌箱とを備える
動物給餌システム。
【請求項２】
前記障害物は、前記餌箱に隣接して位置した引き戸であり、
該引き戸と連結部材で連結された疑似餌を有し、
前記給餌器と前記疑似餌の少なくともいずれか一方に前記電磁石が設けられ、
前記電磁石に通電された場合に磁石間の磁力を利用して前記疑似餌が飛び出し可能に構成され、
前記疑似餌をペットが引っ張ることで前記引き戸が前記餌箱に隣接した位置から除去可能に構成された
請求項１に記載の動物給餌システム。
但し、給餌を二回に分けて自動で行い、二食を同時に食せないようにするとともに、他の動物が餌盗りするのを防止する二食給餌システムであって、
給餌器と、上記給餌器に収納される引出し式餌箱と、ペットに装着される強磁性体のペンダントＱ，延長コードを備え、
上記給餌器の開口部には、跳ね上げ式扉３、侵入防止引き戸４３又は侵入口つき引き戸４２が、設けられており、
上記給餌器のタイマーがＯＦＦの間、上記跳ね上げ式扉３は上記開口部全体を覆い、一回目給餌時間となり、タイマーがＯＮになると、通電し、上記開口部の電磁石Ｃと、上記跳ね上げ式扉３の内側の永久磁石ｃＳとが同極反発して、上記跳ね上げ式扉３が開き、
上記跳ね上げ式扉３が開くと、ペットが近づき、上記侵入口つき引き戸４２がセットされていれば、上記扉が開いた時点で、上記侵入口から一食目餌入れ１０に盛られた餌を食することが可能となり、
餌盗りの心配な家庭で、上記侵入防止引き戸４３がセットされていれば、一回目タイマーＯＮにおいて、上記電磁石Ｃと電磁石Ｂへと同時通電させることによって、上記扉３が上記同極反発で開いた瞬間には、上記給餌箱内の凹みに隠しておいた、上記引き戸４３のマウスピースＭ２が、上記凹み内の永久磁石ｂと電磁石Ｂとの同極反発により押し出され、上記マウスピースＭ２が上記給餌器の外へと放り出されることにより、ペットが、上記マウスピースＭ２を銜えて引っ張り、上記引き戸４３を上記給餌器の外へと引き出して、上記一食目餌入れ１０に盛られた餌を食できるとともに、
二食を同時に食せないよう、Ｎ極側を上記引出し式餌箱真正面中央に取り付けた電磁石Ａ１及びＳ極側を上記侵入口つき引き戸４２の侵入口に位置する、上記電磁石室天井面に取り付けた電磁石Ａ２への通電を、１秒でＯＦＦになるようにセットされて、二食目が入る引出し式餌箱の引き出しは不可能とし、
二食目の給餌時間となり、タイマーがＯＮになると、二食目用の上記引出し式餌箱にセットされた、上記電磁石Ａ１Ａ２と臭い送風機１１の両方に通電し、
上記引出し式餌箱の餌入れ１０−２に用意された二食目の餌の臭気で、ペットを上記引き戸４２の侵入口の中へ誘い込み、頭部から首部を侵入させた所で、上記電磁石Ａ１Ａ２の磁気がペンダントＱを吸引吸着することによって、ペットが、上記引出し式餌箱の餌入れ１０−２を引き出せるようにしていることを特徴とする動物給餌システムを除く。
【請求項３】
前記障害物は、前記給餌器の外部と前記餌箱の間を遮る位置に配置された開き戸であり、
前記給餌器と前記開き戸の少なくともいずれか一方に前記電磁石が設けられ、
前記電磁石に通電された場合に磁石間の磁力を利用して前記開き戸が前記給餌器の外部と前記餌箱の間を遮る位置から除去可能に構成された
請求項１または請求項２に記載の動物給餌システム。
但し、給餌を二回に分けて自動で行い、二食を同時に食せないようにするとともに、他の動物が餌盗りするのを防止する二食給餌システムであって、
給餌器と、上記給餌器に収納される引出し式餌箱と、ペットに装着される強磁性体のペンダントＱ，延長コードを備え、
上記給餌器の開口部には、跳ね上げ式扉３、侵入防止引き戸４３又は侵入口つき引き戸４２が、設けられており、
上記給餌器のタイマーがＯＦＦの間、上記跳ね上げ式扉３は上記開口部全体を覆い、一回目給餌時間となり、タイマーがＯＮになると、通電し、上記開口部の電磁石Ｃと、上記跳ね上げ式扉３の内側の永久磁石ｃＳとが同極反発して、上記跳ね上げ式扉３が開き、
上記跳ね上げ式扉３が開くと、ペットが近づき、上記侵入口つき引き戸４２がセットされていれば、上記扉が開いた時点で、上記侵入口から一食目餌入れ１０に盛られた餌を食することが可能となり、
餌盗りの心配な家庭で、上記侵入防止引き戸４３がセットされていれば、一回目タイマーＯＮにおいて、上記電磁石Ｃと電磁石Ｂへと同時通電させることによって、上記扉３が上記同極反発で開いた瞬間には、上記給餌箱内の凹みに隠しておいた、上記引き戸４３のマウスピースＭ２が、上記凹み内の永久磁石ｂと電磁石Ｂとの同極反発により押し出され、上記マウスピースＭ２が上記給餌器の外へと放り出されることにより、ペットが、上記マウスピースＭ２を銜えて引っ張り、上記引き戸４３を上記給餌器の外へと引き出して、上記一食目餌入れ１０に盛られた餌を食できるとともに、
二食を同時に食せないよう、Ｎ極側を上記引出し式餌箱真正面中央に取り付けた電磁石Ａ１及びＳ極側を上記侵入口つき引き戸４２の侵入口に位置する、上記電磁石室天井面に取り付けた電磁石Ａ２への通電を、１秒でＯＦＦになるようにセットされて、二食目が入る引出し式餌箱の引き出しは不可能とし、
二食目の給餌時間となり、タイマーがＯＮになると、二食目用の上記引出し式餌箱にセットされた、上記電磁石Ａ１Ａ２と臭い送風機１１の両方に通電し、
上記引出し式餌箱の餌入れ１０−２に用意された二食目の餌の臭気で、ペットを上記引き戸４２の侵入口の中へ誘い込み、頭部から首部を侵入させた所で、上記電磁石Ａ１Ａ２の磁気がペンダントＱを吸引吸着することによって、ペットが、上記引出し式餌箱の餌入れ１０−２を引き出せるようにしていることを特徴とする動物給餌システムを除く。
【請求項４】
少なくとも２つの前記餌箱を有し、
該餌箱の一方は、ペットの餌盗りを防止する障害物が除去可能に構成され、
前記餌箱の他方は、前記給餌器から外に放出可能に構成された
請求項１、請求項２または請求項３に記載の動物給餌システム。
但し、給餌を二回に分けて自動で行い、二食を同時に食せないようにするとともに、他の動物が餌盗りするのを防止する二食給餌システムであって、
給餌器と、上記給餌器に収納される引出し式餌箱と、ペットに装着される強磁性体のペンダントＱ，延長コードを備え、
上記給餌器の開口部には、跳ね上げ式扉３、侵入防止引き戸４３又は侵入口つき引き戸４２が、設けられており、
上記給餌器のタイマーがＯＦＦの間、上記跳ね上げ式扉３は上記開口部全体を覆い、一回目給餌時間となり、タイマーがＯＮになると、通電し、上記開口部の電磁石Ｃと、上記跳ね上げ式扉３の内側の永久磁石ｃＳとが同極反発して、上記跳ね上げ式扉３が開き、
上記跳ね上げ式扉３が開くと、ペットが近づき、上記侵入口つき引き戸４２がセットされていれば、上記扉が開いた時点で、上記侵入口から一食目餌入れ１０に盛られた餌を食することが可能となり、
餌盗りの心配な家庭で、上記侵入防止引き戸４３がセットされていれば、一回目タイマーＯＮにおいて、上記電磁石Ｃと電磁石Ｂへと同時通電させることによって、上記扉３が上記同極反発で開いた瞬間には、上記給餌箱内の凹みに隠しておいた、上記引き戸４３のマウスピースＭ２が、上記凹み内の永久磁石ｂと電磁石Ｂとの同極反発により押し出され、上記マウスピースＭ２が上記給餌器の外へと放り出されることにより、ペットが、上記マウスピースＭ２を銜えて引っ張り、上記引き戸４３を上記給餌器の外へと引き出して、上記一食目餌入れ１０に盛られた餌を食できるとともに、
二食を同時に食せないよう、Ｎ極側を上記引出し式餌箱真正面中央に取り付けた電磁石Ａ１及びＳ極側を上記侵入口つき引き戸４２の侵入口に位置する、上記電磁石室天井面に取り付けた電磁石Ａ２への通電を、１秒でＯＦＦになるようにセットされて、二食目が入る引出し式餌箱の引き出しは不可能とし、
二食目の給餌時間となり、タイマーがＯＮになると、二食目用の上記引出し式餌箱にセットされた、上記電磁石Ａ１Ａ２と臭い送風機１１の両方に通電し、
上記引出し式餌箱の餌入れ１０−２に用意された二食目の餌の臭気で、ペットを上記引き戸４２の侵入口の中へ誘い込み、頭部から首部を侵入させた所で、上記電磁石Ａ１Ａ２の磁気がペンダントＱを吸引吸着することによって、ペットが、上記引出し式餌箱の餌入れ１０−２を引き出せるようにしていることを特徴とする動物給餌システムを除く。
【請求項５】
前記給餌器と前記餌箱の少なくともいずれか一方に前記電磁石が設けられ、
前記電磁石に通電された場合に磁石間の磁力を利用して前記餌箱が給餌器から外に放出可能に構成された
請求項１、請求項２、請求項３または請求項４に記載の動物給餌システム。
【請求項６】
給餌器と、
該給餌器に設けられた所定の配線経路に通電されることで磁性を帯びる少なくとも１つの電磁石と、
前記給餌器に固定された餌箱と、
該餌箱に隣接して位置した引き戸と、
該引き戸と連結部材で連結された疑似餌とを有し、
前記給餌器と前記疑似餌の少なくともいずれか一方に前記電磁石が設けられ、
前記電磁石に通電された場合に磁石間の磁力を利用して前記疑似餌が飛び出し可能に構成され、
前記疑似餌をペットが引っ張ることで前記引き戸が前記餌箱に隣接した位置から除去可能に構成された
動物給餌システム。
【請求項７】
給餌器と、
該給餌器に設けられた所定の配線経路に通電されることで磁性を帯びる少なくとも１つの電磁石と、
前記給餌器に固定された餌箱と、
前記給餌器の外部と前記餌箱の間を遮る位置に配置された開き戸とを有し、
前記給餌器と前記開き戸の少なくともいずれか一方に前記電磁石が設けられ、
前記電磁石に通電された場合に磁石間の磁力を利用して前記開き戸が前記給餌器の外部と前記餌箱の間を遮る位置から除去可能に構成された
動物給餌システム。
【国際調査報告】
2014073035.tif 000014
2014073035.tif 000015
2014073035.tif 000016
2014073035.tif 000017